(57)【要約】【課題】  直並列接続された電池セルに流れる電流を均等化させ、損失の少なく、効率のよい信頼性の高い二次電池モジュールを提供する。【解決手段】  複数の電池セルを並列接続してなる並列接続電池群を複数直列接続してなる二次電池モジュールにおいて、前記並列接続電池群の電池セルの正極端子間を電気的に接続する第１のセル端子間接続導体と、前記並列接続電池群の負極端子間を電気的に接続する第２のセル端子間接続導体と、前記並列接続電池群のセル端子間接続導体どうしを電気的に接続する第３のセル端子間接続導体とを具備したことを特徴とする二次電池モジュール。【選択図】図１
2011065794.tif 000002
【特許請求の範囲】
【請求項１】
複数の電池セルを並列接続してなる並列接続電池群を複数直列接続してなる二次電池モジュールにおいて、
前記並列接続電池群の電池セルの正極端子間を電気的に接続する第１のセル端子間接続導体と、
前記並列接続電池群の電池セルの負極端子間を電気的に接続する第２のセル端子間接続導体と、
前記並列接続電池群のセル端子間接続導体どうしを電気的に接続する第３のセル端子間接続導体とを具備したことを特徴とする二次電池モジュール。
【請求項２】
前記第１のセル端子間接続導体の一端に前記二次電池モジュールから外部に電力を供給する正極側モジュール端子と、前記第２のセル端子間接続導体の一端に前記二次電池モジュールから外部に電力を供給する負局側モジュール端子とを設けたことを特徴とする請求項１記載の二次電池モジュール。
【請求項３】
前記セル端子間接続導体を板状に構成し、前記第３のセル端子間接続導体により前記第１のセル端子間接続導体の端部と第２のセル端子間接続導体の端部とを接続したことを特徴とする請求項２記載の二次電池モジュール
【請求項４】
前記板状のセル端子間接続導体の中央部分に前記セル電池の電圧を検出する電圧検出部を設けたことを特徴とする請求項３記載の二次電池モジュール。
【発明の詳細な説明】
【技術分野】
【０００１】
本発明は、複数の電池セルを並列接続してなる並列接続電池群を複数直列接続してなる二次電池モジュールに関する。
【背景技術】
【０００２】
ハイブリッド電気自動車、電気自動車などの車両で使われる電池装置は、高出力でかつ頻繁な出力変化に対応する必要がある。このような電池装置は、一般的に、必要な出力や容量に応じて、電池セルを複数個電気的に直並列接続しかつ機械的にも一体化した電池モジュールを組み込んで構成されることが多い。
【０００３】
電池モジュールを複数個の電池セルを直並列接続して構成する場合、電池モジュールは、並列接続された電池セルには電流が均等に分担されアンバランスがないこと、各並列セル群の電圧の監視値が並列セル群相互間でアンバランスがないこと、さらにセル端子を直並列接続する配線部材による発生損失が小さいことが要求される。
【０００４】
従来の電池モジュールの構成を図９、図１０、図１１、図１２に示す。図９及び図１０は電池モジュールの機械的な構成を示す立体図、図１１は電池モジュール内の電気的接続状態を示す回路図である。
【０００５】
図９に示されるように、電池モジュールは、電池セルＣ１、Ｃ２、Ｃ３を並列接続したもの、電池セルＣ４、Ｃ５、Ｃ６を並列接続したもの、電池セルＣ７、Ｃ８、Ｃ９を並列接続したものを直列接続することにより構成される。
【０００６】
各電池セル（Ｃ１乃至Ｃ９）は、箱型の外形を有し、上部にセル端子Ｔ１乃至Ｔ１８が設けられている。
【０００７】
各隣り合う電池セルの端子相互間は、図９に示すようにセル端子間並列接続導体Ｌ１、Ｌ２もしくはセル端子間直並列接続導体Ｌ３、Ｌ４により並列もしくは直列に接続されている。セル端子間並列接続導体Ｌ１、Ｌ２及びセル端子間直並列接続導体Ｌ３、Ｌ４は、例えばアルミニウムなどの電気の良導体材料で形成されており、同種の材料で形成されているセル端子Ｔ１乃至Ｔ１８に溶接工法などで接合されている。
【０００８】
さらに、セル端子間並列接続導体Ｌ１、Ｌ２の端部には、電池モジュールが外部と接続するためのモジュール端子部ＴＰ、ＴＮが夫々設けられている。
【０００９】
また、セル端子間並列接続導体Ｌ１、Ｌ２並びにセル端子間直並列接続導体Ｌ３、Ｌ４には、電圧検出用の電圧検出端子Ｄ１、Ｄ２、Ｄ３、Ｄ４が設けられている。図１２に示されるように、電池モジュールの上部には、セル端子間並列接続導体Ｌ１、Ｌ２並びにセル端子間直並列接続導体Ｌ３、Ｌ４を覆う形で、電圧監視基板ＤＢが設けれ、電圧検出端子Ｄ１、Ｄ２、Ｄ３、Ｄ４が電圧監視基板ＤＢ上の電気回路に接続している。
【００１０】
上述したように構成された電池モジュールにおいては、次のような課題を有する。
【００１１】
並列接続された電池セル間の電流分担が不均等が生じしやすいことである。
【００１２】
図１１は、図９に示される電池モジュールの等価回路を示した図でもある。図１１において、電池モジュールに充電電流が流れる場合を考えると、モジュール端子部ＴＰからセル端子間並列接続導体Ｌ１やセル端子間直並列接続導体Ｌ４、Ｌ３を経由して、各電池セルに充電電流が流れ、もう一つのモジュール端子部ＴＮに至る。
【００１３】
セル端子間並列接続導体Ｌ１においては、モジュール端子部TPとセル端子T1との間に等価抵抗ｒ１、セル端子T1とセル端子T2との間に等価抵抗ｒ２、セル端子T2とセル端子T3との間に等価抵抗ｒ３が存在する。同様に、セル端子間並列接続導体Ｌ２においては、モジュール端子部TNとセル端子T１８との間に等価抵抗ｒ４、セル端子T１８とセル端子T１７との間に等価抵抗ｒ５、セル端子T１７とセル端子T１６との間に等価抵抗ｒ６が存在する。
【００１４】
セル端子間直並列接続導体Ｌ４においては、セル端子T4とセル端子T7との間に等価抵抗ｒ１１、セル端子T4とセル端子T8との間に等価抵抗ｒ１２、セル端子T4とセル端子T9との間に等価抵抗ｒ１３、セル端子T５とセル端子T7との間に等価抵抗ｒ１４、セル端子T５とセル端子T8との間に等価抵抗ｒ１５、セル端子T５とセル端子T9との間に等価抵抗ｒ１６、セル端子T６とセル端子T7との間に等価抵抗ｒ１７、セル端子T６とセル端子T8との間に等価抵抗ｒ１８、セル端子T６とセル端子T9との間に等価抵抗ｒ１９が存在する。
【００１５】
同様に、セル端子間直並列接続導体Ｌ３においては、セル端子T１０とセル端子T１３との間に等価抵抗ｒ２１、セル端子T１０とセル端子T１４との間に等価抵抗ｒ２２、セル端子T１０とセル端子T１５との間に等価抵抗ｒ２３、セル端子T１１とセル端子T１３との間に等価抵抗ｒ２４、セル端子T１１とセル端子T１４との間に等価抵抗ｒ２５、セル端子T１１とセル端子T１５との間に等価抵抗ｒ２６、セル端子T１２とセル端子T１３との間に等価抵抗ｒ２７、セル端子T１２とセル端子T１４との間に等価抵抗ｒ２８、セル端子T１２とセル端子T１５との間に等価抵抗ｒ２９が存在する。
【００１６】
ここで注意すべきは、セル端子間直並列接続導体Ｌ３、Ｌ４の各等価抵抗が、セル端子間並列接続導体Ｌ１、Ｌ２の各等価抵抗より値が小さいことである。例えば、等価抵抗ｒ２やｒ３より、ｒ１１〜ｒ１３などの方が相対的に抵抗値が小さい。
【００１７】
上述した充電電流経路（モジュール端子部TPからモジュール端子部TNに至る流路）において、等価抵抗値の差の関係で、電池セルＣ１，Ｃ２，Ｃ３の電流分担を比較すると、電池セルＣ１の電流が最も大きく、電池セルＣ３が最も小さくなる。
【００１８】
同様に、電池セルＣ７，Ｃ８，Ｃ９の電流分担を比較すると、電池セルＣ９の電流が最も大きく、電池セルＣ７が最も小さくなる。
【００１９】
上述したように、端子間を接続する導体に等価抵抗が存在するため、並列セル間の電流の不均等が発生し、これによりマージンの増大、発生する温度上昇値の不均等による寿命低下などを招くので好ましくない。
【００２０】
課題の第二は、各並列セル群の電圧監視値が、並列セル群相互間で差異があることである。電池セルの保護を目的として、電池電圧の監視が行われている。電圧はセル端子間並列接続導体L1、L2またはセル端子間直並列接続導体L3、L4に形成した電圧検出部D1、D2、D3、D４を介して電圧監視基板DBで監視する。すなわち、電池セルC1、C2、C3により構成される並列セル群の電圧は、電圧検出部D1、D2により検出される。同様に、電池セルC４、C５、C６により構成される並列セル群の電圧は、電圧検出部D２、D３により検出される。さらに、電池セルC７、C８、C９により構成される並列セル群の電圧は、電圧検出部D３、D４により検出される。
【００２１】
ここで注意すべきは、各接続導体上の電圧検出部の形成位置の違いによって検出電圧の値が異なってくることである。
【００２２】
セル端子間並列接続導体L1、L２およびセル端子間直並列接続導体L3、L4の内部の等価抵抗と、通電電流の積で決まる電圧上昇もしくは電圧降下が生じるので、セル電圧に等価抵抗による電圧変動分が付加される。
【００２３】
等価抵抗による電圧変動は、電圧検出部を形成する位置により変わる。図９に示すように、電圧検出部D1、D2、D３、D４がそれぞれセル端子間並列接続導体L1、L２およびセル端子間直並列接続導体L3、L4の図示された位置に設けられた場合、図１１において、セル端子Ｔ１，Ｔ６，Ｔ１２，Ｔ１８がそれぞれ電圧検出部D1、D2、D３、D４に相当する。
【００２４】
セル端子Ｔ１とセル端子Ｔ６間の電圧はセル端子Ｔ６とセル端子Ｔ１２間の電圧やセル端子Ｔ１２とセル端子Ｔ１８間の電圧より小さい値になる。セル端子間T1とT6との間には、電池セルC３以外に等価抵抗ｒ３とｒ２の直列回路が存在し、一方、セル端子T6とT12との間には電池セルC６以外に等価抵抗ｒ１９が存在する。セル端子間T1とT6との間には、等価抵抗が２つ存在することにより、セル端子T6とT12との間と比較して電圧降下が大きく、よって、セル端子Ｔ１とセル端子Ｔ６間の電圧はセル端子Ｔ６とセル端子Ｔ１２間の電圧やセル端子Ｔ１２とセル端子Ｔ１８間の電圧より小さい値になる。
【００２５】
課題の第三は、セル端子を直並列接続する配線部材による発生損失である。図９、図１０の構成においてセル端子間並列接続導体やセル端子間直並列接続導体に特別に抵抗が大きい部分が存在する訳ではない。しかし導体の抵抗は、発生損失を増大させ、電池セルの温度上昇を増大させ、さらに効率を低下させる。
【先行技術文献】
【特許文献】
【００２６】
【特許文献１】特開平９−２１９１８１号公報
【発明の概要】
【発明が解決しようとする課題】
【００２７】
本発明は上記事情に鑑みて成されたものであって、直並列接続された電池セルに流れる電流を均等化させ、損失の少なく、効率のよい信頼性の高い二次電池モジュールを提供することを目的とする。
【課題を解決するための手段】
【００２８】
本発明による二次電池モジュールは、複数の電池セルを並列接続してなる並列接続電池群を複数直列接続してなる二次電池モジュールにおいて、並列接続電池群の電池セルの正極端子間を電気的に接続する第１のセル端子間接続導体と、並列接続電池群の負極端子間を電気的に接続する第２のセル端子間接続導体と、並列接続電池群のセル端子間接続導体どうしを電気的に接続する第３のセル端子間接続導体とを具備したことを特徴とする二次電池モジュールである。
【発明の効果】
【００２９】
本発明によれば、直並列接続された電池セルに流れる電流を均等化させ、損失の少ない効率のよい信頼性の高い二次電池モジュールを提供することができる。
【図面の簡単な説明】
【００３０】
【図１】本発明の第１実施形態に係る二次電池モジュールの構成を説明するための図である。
【図２】本発明の第１実施形態に係る二次電池モジュールの構成を説明するための図である。
【図３】図１記載の第１実施形態に係る電池モジュールの電気的接続状態を説明するための図である。
【図４】本発明の第２実施形態に係る二次電池モジュールの構成を説明するための図である。
【図５】本発明の第２実施形態に係る二次電池モジュールの構成を説明するための図である。
【図６】図４記載の第１実施形態に係る電池モジュールの電気的接続状態を説明するための図である。
【図７】本発明の第３実施形態に係る二次電池モジュールの構成部品の一部を説明するための図である。
【図８】本発明の第４実施形態に係る二次電池モジュールの構成部品の一部を説明するための図である。
【図９】従来の二次電池モジュールの構成を説明するための図である。
【図１０】従来の二次電池モジュールの構成を説明するための図である。
【図１１】図９記載の電池モジュールの電気的接続状態を説明するための図である。
【図１２】従来の二次電池モジュールの構成を説明するための図である。
【発明を実施するための形態】
【００３１】
以下、本発明の第１実施形態に係る二次電池モジュールついて、図面を参照して説明する。
【００３２】
図１、図２に示されるように、二次電池モジュールは、電池セルＣ１、Ｃ２、Ｃ３を並列接続したもの、電池セルＣ４、Ｃ５、Ｃ６を並列接続したもの、電池セルＣ７、Ｃ８、Ｃ９を並列接続したものを直列接続することにより構成される。
【００３３】
各電池セル（Ｃ１乃至Ｃ９）は、箱型の外形を有し、上部にセル端子Ｔ１乃至Ｔ１８が設けられている。
【００３４】
各隣り合う電池セルの端子相互間は、図１、２に示すようにセル端子間並列接続導体Ｌ１１、Ｌ１２もしくはセル端子間直並列接続導体Ｌ１３、Ｌ１４により並列もしくは直列に接続されている。セル端子間並列接続導体Ｌ１１、Ｌ１２及びセル端子間直並列接続導体Ｌ１３、Ｌ１４は、例えばアルミニウムなどの電気の良導体材料で形成されており、同種の材料で形成されているセル端子Ｔ１乃至Ｔ１８に溶接工法などで接合されている。
【００３５】
さらに、セル端子間並列接続導体Ｌ１１、Ｌ１２の端部には、電池モジュールが外部と接続するためのモジュール端子部ＴＰ、ＴＮが夫々設けられている。ここで、セル端子間直並列接続導体Ｌ１３、Ｌ１４は、従来の四角形状ではなく、図にしめされるよう、コの字状の形状をしている。このセル端子間直並列接続導体Ｌ１３は、電池セルＣ１、Ｃ２、Ｃ３のセル端子Ｔ４、Ｔ５、Ｔ６を接続し、さらに電池セルＣ４、Ｃ５、Ｃ６のセル端子Ｔ７、Ｔ８、Ｔ９を接続し、セル端子Ｔ６とセル端子Ｔ９を接続するものである。
【００３６】
また、セル端子間並列接続導体Ｌ１、Ｌ２並びにセル端子間直並列接続導体Ｌ３、Ｌ４には、電圧検出用の電圧検出端子Ｄ１１、Ｄ１２、Ｄ１３、Ｄ１４が設けられている。電池モジュールの上部には、セル端子間並列接続導体Ｌ１１、Ｌ１２並びにセル端子間直並列接続導体Ｌ１３、Ｌ１４を覆う形で、図示しない電圧監視基板が設けれ、電圧検出端子Ｄ１１、Ｄ１２、Ｄ１３、Ｄ１４が電圧監視基板上の電気回路に接続している。
【００３７】
図３は、本実施形態における二次電池モジュール内の電気的接続状態を示す回路図である。図３において、電池セルＣ１、Ｃ２、Ｃ３に着目すると、セル端子Ｔ１からＴ６へ至る電流経路において、いずれの電池セルに対する電流経路についても、セル端子間並列接続導体またはセル端子間直並列接続導体に存在する４個の等価抵抗ｒ２、ｒ３、ｒ１０１、ｒ１０２の内、２個の等価抵抗を経由することになる。
【００３８】
同様に、電池セルＣ４、Ｃ５、Ｃ６に着目すると、セル端子Ｔ９からＴ１０へ至る電流経路において、いずれの電池セルに対する電流経路についても、セル端子間並列接続導体またはセル端子間直並列接続導体に存在する４個の等価抵抗ｒ１０４、ｒ１０５、ｒ１１１、ｒ１１２の内、２個の等価抵抗を経由することになる。
【００３９】
同様に、電池セルＣ７、Ｃ８、Ｃ９に着目すると、セル端子Ｔ１３からＴ１８へ至る電流経路において、いずれの電池セルに対する電流経路についても、セル端子間並列接続導体またはセル端子間直並列接続導体に存在する４個の等価抵抗ｒ４、ｒ５、ｒ１１４、ｒ１１５の内、２個の等価抵抗を経由することになる。
【００４０】
以上により、いずれの電池セルを経由する電流経路の等価抵抗を同等にすることができる。これにより、各電池セルに流れる電流を均等化することができる。
【００４１】
その結果、セルへの通電マージンの低減、発生する温度上昇値の均等化による寿命低下を回避することができる。
【００４２】
一方、二次電池セルの保護を目的として、電池電圧を監視する。電圧は、セル端子間並列接続導体Ｌ１１、Ｌ１２またはセル端子間直並列接続導体Ｌ１３、Ｌ１４に形成した電圧検出部Ｄ１１、Ｄ１２、Ｄ１３、Ｄ１４を介して電圧監視基板（図示せず）で監視する。
【００４３】
すなわち、二次電池セルＣ１、Ｃ２、Ｃ３により構成される並列セル群の電圧は、電圧検出部Ｄ１１、Ｄ１２により検出される。同様に、二次電池セルＣ４、Ｃ５、Ｃ６により構成される並列セル群の電圧は、電圧検出部Ｄ１２、Ｄ１３により検出される。さらに、電池セルＣ７、Ｃ８、Ｃ９により構成される並列セル群の電圧は、電圧検出部Ｄ１３、Ｄ１４により検出される。
【００４４】
次に、本発明の第２実施形態に関わる二次電池モジュールについて図面を参照して以下に説明する。
【００４５】
図４、図５を示されるように、二次電池モジュールは、電池セルＣ１、Ｃ２、Ｃ３を並列接続したもの、電池セルＣ４、Ｃ５、Ｃ６を並列接続したもの、電池セルＣ７、Ｃ８、Ｃ９を並列接続したものを直列接続することにより構成される。
【００４６】
各電池セル（Ｃ１乃至Ｃ９）は、箱型の外形を有し、上部にセル端子Ｔ１乃至Ｔ１８が設けられている。
【００４７】
各隣り合う電池セルの端子相互間は、図４、５に示すようにセル端子間並列接続導体Ｌ２１、Ｌ２２もしくはセル端子間直並列接続導体Ｌ２３、Ｌ２４により並列もしくは直列に接続されている。セル端子間並列接続導体Ｌ２１、Ｌ２２及びセル端子間直並列接続導体Ｌ２３、Ｌ２４は、例えばアルミニウムなどの電気の良導体材料で形成されており、同種の材料で形成されているセル端子Ｔ１乃至Ｔ１８に溶接工法などで接合されている。
【００４８】
さらに、セル端子間並列接続導体Ｌ２１、Ｌ２２の端部には、電池モジュールが外部と接続するためのモジュール端子部ＴＰ、ＴＮが夫々設けられている。ここで、セル端子間直並列接続導体Ｌ２３、Ｌ２４は、従来の四角形状ではなく、図にしめされるよう、コの字状の形状をしている。このセル端子間直並列接続導体Ｌ２３は、電池セルＣ１、Ｃ２、Ｃ３のセル端子Ｔ４、Ｔ５、Ｔ６を接続し、さらに電池セルＣ４、Ｃ５、Ｃ６のセル端子Ｔ７、Ｔ８、Ｔ９を接続し、セル端子Ｔ６とセル端子Ｔ９を接続するものである。
【００４９】
図６は、本実施形態における二次電池モジュール内の電気的接続状態を示す回路図である。図６において、電池セルＣ１、Ｃ２、Ｃ３に着目すると、セル端子Ｔ１からＴ６へ至る電流経路において、いずれの電池セルに対する電流経路についても、セル端子間並列接続導体またはセル端子間直並列接続導体に存在する４個の等価抵抗ｒ２、ｒ３、ｒ１０１、ｒ１０２の内、２個の等価抵抗を経由することになる。
【００５０】
同様に、電池セルＣ４、Ｃ５、Ｃ６に着目すると、セル端子Ｔ９からＴ１０へ至る電流経路において、いずれの電池セルに対する電流経路についても、セル端子間並列接続導体またはセル端子間直並列接続導体に存在する４個の等価抵抗ｒ１０４、ｒ１０５、ｒ１１１、ｒ１１２の内、２個の等価抵抗を経由することになる。
【００５１】
同様に、電池セルＣ７、Ｃ８、Ｃ９に着目すると、セル端子Ｔ１３からＴ１８へ至る電流経路において、いずれの電池セルに対する電流経路についても、セル端子間並列接続導体またはセル端子間直並列接続導体に存在する４個の等価抵抗ｒ４、ｒ５、ｒ１１４、ｒ１１５の内、２個の等価抵抗を経由することになる。
【００５２】
以上により、いずれの電池セルを経由する電流経路の等価抵抗を同等にすることができる。これにより、各電池セルに流れる電流を均等化することができる。
【００５３】
その結果、セルへの通電マージンの低減、発生する温度上昇値の均等化による寿命低下を回避することができる。
【００５４】
さらに、図４、図５に示されるように、セル端子間並列接続導体Ｌ２１、Ｌ２２並びにセル端子間直並列接続導体Ｌ２３、Ｌ２４には、電圧検出用の電圧検出端子Ｄ２１、Ｄ２２、Ｄ２３、Ｄ２４が設けられている。なお、電圧検出端子Ｄ２１は、図に示されるように、板状のセル端子間並列接続導体Ｌ２１の幅方向中間部分に設けられている。従来の電圧検出端子Ｄ１がセル端子間並列接続導体Ｌ１の端部に設けられている点で差異がある。同様に、電圧検出端子Ｄ２４は、図に示されるように、板状のセル端子間並列接続導体Ｌ２２の幅方向中間部分に設けられている。
【００５５】
さらに、電圧検出端子Ｄ２２は、図に示されるように、板状のセル端子間直並列接続導体Ｌ２３のセル端子Ｔ６およびＴ９の中間位置に設けられている。従来の電圧検出端子がセル端子間並列接続導体の端部に設けられている点で差異がある。同様に、電圧検出端子Ｄ２３は、図に示されるように、板状のセル端子間直並列接続導体Ｌ２４のセル端子Ｔ１０およびＴ１３の中間位置に設けられている。
【００５６】
図６は、本実施形態における二次電池モジュール内の電気的接続状態を示す回路図である。
【００５７】
図６中、図３に記載の構成と同一のものについては、同一符号を付して、その説明を省略する。
【００５８】
本実施形態では、電圧検出端子Ｄ２１が、セル端子Ｔ１およびモジュール端子部ＴＰとの中間に設けられているため、セル端子Ｔ１と電圧検出端子Ｄ２１との間の等価回路ｒ１ｂと、電圧検出端子Ｄ２１とモジュール端子部ＴＰとの間の等価回路ｒ１ａとはほぼ同じ抵抗値となる。
【００５９】
同様に、電圧検出端子Ｄ２４が、セル端子Ｔ１８およびモジュール端子部ＴＮとの中間に設けられているため、セル端子Ｔ１８と電圧検出端子Ｄ２４との間の等価回路ｒ６ａと、電圧検出端子Ｄ２４とモジュール端子部ＴＮとの間の等価回路ｒ１ｂとはほぼ同じ抵抗値となる。
【００６０】
一方、電圧検出端子Ｄ２２が、セル端子Ｔ６およびセル端子Ｔ９との中間に設けられているため、セル端子Ｔ６と電圧検出端子Ｄ２２との間の等価回路ｒ１０３ａと、電圧検出端子Ｄ２２とセル端子Ｔ９との間の等価回路ｒ１０３ｂとはほぼ同じ抵抗値となる。
【００６１】
同様に、電圧検出端子Ｄ２３が、セル端子Ｔ１０およびセル端子Ｔ１３との中間に設けられているため、セル端子Ｔ１０と電圧検出端子Ｄ２３との間の等価回路ｒ１１３ａと、電圧検出端子Ｄ２３とセル端子Ｔ１３との間の等価回路ｒ１１３ｂとはほぼ同じ抵抗値となる。
【００６２】
このように構成すると、電圧検出端子Ｄ２１〜Ｄ２２間、電圧検出端子Ｄ２２〜Ｄ２３間、電圧検出端子Ｄ２３〜Ｄ２４間の３つの電圧を考えると、並列セル群自体の電圧差は別にして、電圧検出部の位置の違いにより、並列接続導体または直並列接続導体の抵抗値に差異が生じるというような事象は無くなる。そのため、それに起因する電圧差の発生を無くすことができる。
【００６３】
このような構成を採用することにより、検出電圧を均等にできる。電圧監視値の並列セル群相互間でのアンバランスが無くなるので、不要なマージンを除去できる。
【００６４】
本発明の第三の実施形態を図面を用いて説明する。図７、図８は本実施形態を示す図である。
【００６５】
上述した構成において、セル間を配線接続した場合、板状のセル端子間直並列接続導体Ｌ２３、Ｌ２４の直列接続部にはセル３個分の通電電流が通過するので、並列接続部と比較して電流量が大きくそれに比例して生じる発熱量も多くなる。発熱量増加は効率の低下と電池セルの温度上昇による信頼性の低下を招くので好ましくない。
【００６６】
図７は、直並列接続導体の直列接続部に導電部材Ｌ２３３を形成したものである。導電部材Ｌ２３３はアルミなどの良導体金属を想定しており、直並列接続導体と一体で形成する、あるいは別の部品を接合するものである。
【００６７】
さらに図８は、図７に記載した導電部材Ｌ２３３をフィン形状の部材Ｌ２３４としたものである。
【００６８】
このように直並列接続導体を構成することにより、まず直列接続部の抵抗値を低減することが出来る。これは、導体断面積増加による抵抗低減効果である。また図７に記載したフィン形状は、放熱面積を顕著に増加することができる。その結果、抵抗値低減による発熱量の抑制と、放熱面積増大による冷却効率向上との相乗効果により、直列接続部の温度上昇を抑制することができる。従って、効率低下と信頼性低下を回避することができる。
【符号の説明】
【００６９】
Ｃ１〜Ｃ９…電池セル、Ｌ１１…セル端子間並列接続導体、Ｌ１２…セル端子間並列接続導体、Ｌ１３…セル端子間直並列接続導体、Ｌ１４…セル端子間直並列接続導体、Ｄ１１〜Ｄ１４…電圧検出端子
【図１】
2011065794.tif 000003
【図２】
2011065794.tif 000004
【図３】
2011065794.tif 000005
【図４】
2011065794.tif 000006
【図５】
2011065794.tif 000007
【図６】
2011065794.tif 000008
【図７】
2011065794.tif 000009
【図８】
2011065794.tif 000010
【図９】
2011065794.tif 000011
【図１０】
2011065794.tif 000012
【図１１】
2011065794.tif 000013
【図１２】
2011065794.tif 000014